(57)【要約】      （修正有）【課題】防音装置を備えるシュレッダーのモーターを提供する。【解決手段】モーターはモーターローターとカーボンブラシの接触部位外面に蓋設するモーター防音カバーを含む。該モーター防音カバーは相互に嵌設する内カバーと外カバーを含み、しかも該内カバーと該外カバー上にはそれぞれ相互に交差する小孔を設ける。該モーター防音カバーを利用し、該モーターローターと該カーボンブラシの摩擦位置を封鎖することで、防音効果を達成する他に、時として発生する火花と外界との接触を回避する防火効果をも備える。【選択図】図２
0003142228.tif 000002
【実用新案登録請求の範囲】
【請求項１】
モーターはモーターリアサポートフレーム、モーターローター、及び該モーターローターと弾性接触するカーボンブラシを含み、
該モーターはさらに該モーターローターと該カーボンブラシ接触部位外面に蓋設する該モーター防音カバーを含み、該モーター防音カバーは相互に嵌設する内カバーと外カバーを含み、しかも該内カバーと該外カバー上には相互に交差する小孔をそれぞれ設けることを特徴とする防音装置を備えるシュレッダーのモーター。
【請求項２】
前記モーター防音カバーの該内カバーと該外カバーは環状を呈し、その上の該カーボンブラシに対応する位置にはそれが貫通する通孔を設け、こうして該カーボンブラシは該通孔を貫通し該モーターローターと接触することを特徴とする請求項１記載の防音装置を備えるシュレッダーのモーター。
【請求項３】
前記モーター防音カバーの前端は第一密封部品を通過し、それは該モーターローターとの間の間隙を密封し、該モーター防音カバーの後端は第二密封部品を通過し、それは該モーターローターとの間の間隙を密封することを特徴とする請求項２記載の防音装置を備えるシュレッダーのモーター。
【請求項４】
前記内カバーと該外カバーの間には間隙を備えることを特徴とする請求項１或いは請求項２或いは請求項３記載の防音装置を備えるシュレッダーのモーター。
【考案の詳細な説明】
【技術分野】
【０００１】
本考案はモーターに関する。特にシュレッダー中に使用し、防音装置を備えるシュレッダーのモーターに係る。
【背景技術】
【０００２】
機密性の高いファイル或いはデータが外部に漏れ、不当な人物の手中に渡らないよう、通常はシュレッダーを利用しそれを処理する。このためシュレッダーはビジネス及び家庭生活においてなくてはならない設備になっている。
【０００３】
現在市場で採用されているのは、電動シュレッダーである。該電動シュレッダーは交流モーターにより駆動され、該モーターのローターとカーボンブラシ間は弾性接触し、ローターはモーター駆動により高速回転を行う。
しかし、モーターに通電し運転する時、カーボンブラシとモーターローター間の接触は騒音を発生させる。
【考案の開示】
【考案が解決しようとする課題】
【０００４】
本考案が解決しようとする課題は、公知技術の不足を解決する防音装置を備えるシュレッダーのモーターを提供することである。
【０００５】
上記課題を解決するため、本考案は下記の防音装置を備えるシュレッダーのモーターを提供する。モーターはモーターリアサポートフレーム、モーターローター、及び該モーターローターと弾性接触するカーボンブラシを含み、該モーターはさらに該モーターローターと該カーボンブラシ接触部位外面に蓋設する該モーター防音カバーを含み、該モーター防音カバーは相互に嵌設する内カバーと外カバーを含み、しかも該内カバーと該外カバー上には相互に交差する小孔をそれぞれ設ける。
【０００６】
該モーター防音カバーの該内カバーと該外カバーは環状を呈し、その上の該カーボンブラシに対応する位置にはそれが貫通する通孔を設け、こうして該カーボンブラシは該通孔を貫通し該モーターローターと接触する。
【０００７】
該モーター防音カバーの前端は第一密封部品を通過し、それは該モーターローターとの間の間隙を密封し、該モーター防音カバーの後端は第二密封部品を通過し、それは該モーターローターとの間の間隙を密封し、該内カバーと該外カバーの間には間隙を備える。
【課題を解決するための手段】
【０００８】
請求項１の考案は、モーターはモーターリアサポートフレーム、モーターローター、及び該モーターローターと弾性接触するカーボンブラシを含み、
該モーターはさらに該モーターローターと該カーボンブラシ接触部位外面に蓋設する該モーター防音カバーを含み、該モーター防音カバーは相互に嵌設する内カバーと外カバーを含み、しかも該内カバーと該外カバー上には相互に交差する小孔をそれぞれ設けることを特徴とする防音装置を備えるシュレッダーのモーターとしている。
請求項２の考案は、前記モーター防音カバーの該内カバーと該外カバーは環状を呈し、その上の該カーボンブラシに対応する位置にはそれが貫通する通孔を設け、こうして該カーボンブラシは該通孔を貫通し該モーターローターと接触することを特徴とする請求項１記載の防音装置を備えるシュレッダーのモーターとしている。
請求項３の考案は、前記モーター防音カバーの前端は第一密封部品を通過し、それは該モーターローターとの間の間隙を密封し、該モーター防音カバーの後端は第二密封部品を通過し、それは該モーターローターとの間の間隙を密封することを特徴とする請求項２記載の防音装置を備えるシュレッダーのモーターとしている。
請求項４の考案は、前記内カバーと該外カバーの間には間隙を備えることを特徴とする請求項１或いは請求項２或いは請求項３記載の防音装置を備えるシュレッダーのモーターとしている。
【考案の効果】
【０００９】
上記のように、本考案はモーター防音カバーを利用し、モーターローターとカーボンブラシの摩擦位置を封鎖するため、モーターローターとカーボンブラシの接触位置が発生する騒音が該モーター防音カバーを通過する時、該モーター防音カバーの該内カバーと該外カバーの間の小孔の相互交差により、音波に対して干渉を形成し、よって通過する音声を大幅に減弱し、防音効果を達成することができる。同時に、本考案は騒音源位置にのみ設置するだけであるため、体積が比較的小さく、よって製品コストを低下させることができる。また本考案は防火効果をも備える。すなわち、該モーターローターと該カーボンブラシ摩擦位置は火花が発生し易いため、ここを封鎖することで、火花が外界と接触、引火し、火災が発生する恐れを払拭することができる。総合すると、本考案は現在の製品に比べ、構造が単純で、騒音は低く、安全性が高く、実用性が増強されているなどの多くの長所を備えるため、より大きな市場競争力を備える。
【考案を実施するための最良の形態】
【００１０】
図１、図２、図３に示すように、本考案のモーターはモーターリアサポートフレーム１、カーボンブラシ３の設置に用いる固定部品２、モーターローター５、モーター防音カバー７を含む。
【００１１】
該モーター防音カバー７は該モーターローター５と該カーボンブラシ３の摩擦により発生する騒音を外界と隔離し、これにより該モーターローター５と該カーボンブラシ３の接触により発生する騒音は減弱し、製品作動時の騒音を低下させることができる。該モーター防音カバー７は該モーターローター５と該カーボンブラシ３の接触部位の外面に蓋設する。
【００１２】
該モーター防音カバー７は相互に嵌設する内カバー７１と外カバー７２を含み、該内カバー７１と該外カバー７２上には相互に交差する小孔７１１、７２１をそれぞれ設ける。別に該内カバー７１と該外カバー７２の間には一定の間隙を備える。
【００１３】
該モーター防音カバー７の該内カバー７１と該外カバー７２は環状を呈し、その上の該カーボンブラシ３に対応する位置にはそれが貫通する通孔７１２、７２２を設け、こうして該カーボンブラシ３は該通孔７１２、７２２を貫通し該モーターローター５と接触する。
【００１４】
該モーター防音カバー７中の該内カバー７１の前端は第一弾性密封部品４を通過し、それは該モーターローター５との間の間隙を密封する。該モーター防音カバー７の内カバー７１の後端面には凹槽７１３を形成し、環状の第二密封部品８は該凹槽７１３内に位置する。
【００１５】
上記の弾性密封部品はゴム、プラスチック材料を採用し製造する。
【００１６】
該カーボンブラシ３外にはバネを設置し、該バネは該カーボンブラシ３を該モーターローター５上に押さえ付け、こうして該カーボンブラシ３と該モーターローター５は緊密に接触する。
【００１７】
上記のように、本考案はモーター防音カバー７を利用し、モーターローター５とカーボンブラシ３の摩擦位置を封鎖し、モーターローター５とカーボンブラシ３の接触位置が発生する騒音が該モーター防音カバー７を通過する時、該モーター防音カバー７の該内カバー７１と該外カバー７２の間の小孔７１１、７２１の相互交差により、音波に対して干渉を形成し、よって通過する音声を大幅に減弱することができる。こうして防音効果を達成し、消費者ニーズに応えることができる。同時に、本考案は騒音源位置にのみ設置するだけであるため、体積が比較的小さく、よって製品コストを低下させることができる。また本考案は防火効果をも備える。該モーターローター５と該カーボンブラシ３摩擦位置は火花が発生し易いため、ここを封鎖することで、火花が外界と接触、引火し、火災が発生する恐れを払拭することができる。
【００１８】
本考案は現在の製品に比べ、構造が単純で、騒音は低く、安全性が高く、実用性が増強されているなどの多くの長所を備えるため、より大きな市場競争力を備える。
【図面の簡単な説明】
【００１９】
【図１】本考案の立体図である。
【図２】本考案の断面図である。
【図３】本考案の局部立体分解図である。
【符号の説明】
【００２０】
１  モーターリアサポートフレーム
２  固定部品
３  カーボンブラシ
４  第一弾性密封部品
５  モーターローター
７  モーター防音カバー
７１  内カバー
７１１  小孔
７１２  通孔
７１３  凹槽
７２  外カバー
７２１  小孔
７２２  通孔
８  第二密封部品
【図１】
0003142228.tif 000003
【図２】
0003142228.tif 000004
【図３】
0003142228.tif 000005